(57)【要約】【課題】カラー複写機のカラーＣＰＭが向上でき、さらにＦＣＯＴの向上ができ、かつ小型化、ローコスト化が可能となる。【解決手段】二つの感光ドラムと二つの中間転写ベルトを具備し、一つの中間転写ベルトに２色分のトナー画像を重ねて、それぞれの中間転写ベルトから転写紙にトナー画像を重ねてフルカラー画像を形成し、各感光ドラムでの画像形成を同時に行うことで転写紙での画像位置が合うように中間転写ベルト、感光体等の配置を行い、感光体、中間転写ベルト、現像スリーブの回転駆動の共通化と、２つのドラム周りの高圧電源を共通化する。【選択図】        図１
2004226537.tif 000002
【特許請求の範囲】
【請求項１】
電子写真方式の画像形成装置であって、該装置が、それぞれ静電潜像が形成されトナー像に現像される第一と第二の感光手段を有し、前記第一の感光手段に形成された第一のトナー像と、前記第二の感光手段上に形成された第二のトナー像が同一の転写紙に転写されるよう構成されると共に、前記第一と第二のトナー画像に対するそれぞれ第一と第二の感光手段を離れてから前記同一の転写紙上に重ねられるまでの移動距離が、それぞれ略同等になるように構成されたことを特徴とする電子写真方式の画像形成装置。
【請求項２】
前記画像形成装置は第一と第二の感光装置を帯電する為のそれぞれ第一と第二の帯電手段と、前記第一と第二の感光手段に形成された静電潜像をトナー像に現像するそれぞれ第一と第二の現像手段と、前記第一と第二の感光手段に形成されたトナー像を別に用意されるそれぞれの転写媒体に転写する第一と第二の転写手段とを有し、前記第一と第二の転写手段を基準として、前記各帯電手段、或いは、各現像手段の内、少なくとも何れか一組の手段がそれぞれ同等の位置関係となるように配置されたことを特徴とする請求項１に記載の電子写真方式の画像形成装置。
【請求項３】
前記画像形成装置は、現像スリーブを含む複数の現像装置を保持して前記現像手段として前記第一と第二の感光手段のそれぞれに前記現像装置の何れかを同時にセットする現像装置切換手段と、前記第一と第二の感光手段の何れかからトナー画像が転写され、前記転写紙に搬送する第一の中間転写手段と、前記第一と第二の感光手段の内、第一の中間転写手段が関与しない感光手段のトナー画像が転写される第二の中間転写手段と、トナー画像の移動方向を変更する中継用中間転写手段とを有することを特徴とする請求項１または２に記載の電子写真方式の画像形成装置。
【請求項４】
前記第一と第二の中間転写手段は、想定される転写紙の最大サイズのトナー画像を保持し得る大きさに構成されると共に、前記現像装置切換手段によって切換られた現像手段でのトナー像を重ねて保持するよう動作することを特徴とする請求項１ないし３いずれかに記載の電子写真方式の画像形成装置。
【請求項５】
前記画像形成装置は、前記第一と第二の感光手段のそれぞれに対し複数の現像装置を有し、前記現像装置の何れかを同時にセットする第二の現像装置切換手段と、前記第一と第二の感光手段からトナー画像が転写され、前記転写紙に搬送するそれぞれ第三と第四の中間転写手段を有することを特徴とする請求項１または２に記載の電子写真方式の画像形成装置。
【請求項６】
前記第三と第四の中間転写手段は、想定される転写紙の最大サイズのトナー画像を保持し得る大きさに構成されると共に、前記現像装置切換手段によって切換られた現像手段でのトナー像を重ねて保持するよう動作することを特徴とする請求項１、２、５いずれかに記載の電子写真方式の画像形成装置。
【請求項７】
前記画像形成装置は、前記第一と第二の転写手段を基準として同等の位置関係に配置された、前記各帯電手段、或いは、各現像手段の内、少なくとも何れか一組の手段に供給される高圧電源がそれぞれ共用されるよう構成されたことを特徴とする請求項２ないし６いずれかに記載の電子写真方式の画像形成装置。
【請求項８】
前記画像形成装置は、前記第一と第二の帯電手段、前記第一と第二の現像手段に含まれる現像スリーブ、及び、中間転写手段の駆動が共通化されることを特徴とする請求項２ないし７いずれかに記載の電子写真方式の画像形成装置。
【発明の詳細な説明】
【０００１】
【発明の属する技術分野】
本発明は、電子写真方式の複写機、プリンタに関し、特に、複数の感光体と中間転写体とを備え、小型、低価格、高速ファーストプリント、高速連続プリントを実現する電子写真方式の画像形成装置に関する物である。
【０００２】
【従来の技術】
従来複数の感光体を用いた画像形成装置には、イエロー、マゼンタ、シアン、ブラックの色毎に感光体、および、現像器を含めた画像形成部を有し、各画像形成部で形成されたトナー画像を重ねあわせてフルカラー画像を生成するタンデム型のカラー画像形成装置が主流となっている。
【０００３】
上述の画像形成装置は、単位時間あたりのプリント枚数を多く出来る一方で、画像形成部を複数持たなければならないことから、構成が複雑で、小型化、低価格化が困難であるといった問題を有している。
【０００４】
そこで、上述の問題を解決する構成として、２つの感光体と１つの中間転写ベルトを備え、２つの感光体で第一色、第二色に対応したトナー画像を形成し、中間転写ベルトに各トナー画像を重ねて転写した後に、更に、それぞれの感光体で第三色、第四色のトナー画像を形成して、前述の中間転写ベルト上のトナー画像に更に重ねて転写し、以上のようにして得られたトナー画像を転写紙に転写、定着することで、フルカラー画像を得る提案もなされている（例えば、特許文献１参照）。
【０００５】
図４は上述の従来例の構成を示しており、図中１ａ、１ｂは感光体、２ａ〜２ｄは現像器、３は中間転写ベルト、４は定着装置、５，６は転写紙が格納される転写紙カセットである。
【０００６】
本方式の画像形成装置は、前述したタンデム型に比して比較的簡単な構成で、かつ、比較的低価格を実現できる構成でありながら、単位時間あたりのプリント枚数も１／２まで向上できるといった特徴を有している。
【０００７】
また更に、２つの感光体に１つの中間転写ドラムを設けて、それぞれの感光体に複数色の重ねあわせによるトナー画像を形成し、該それぞれの感光体に形成されたトナー画像を中間転写ドラム上に重ねて転写することで、特許文献１と同様の効果を高画質、長寿命で享受する方法が提案されている（例えば、特許文献２参照）。
【０００８】
図５は上述における画像形成装置の構成図であり、図中７は上述の中間転写ドラムである。
【０００９】
また、２つの感光体と１つの中間転写体、更に、４つの現像ユニットを備えた１つのロータリー式現像装置を備え、前記現像ユニットの２つが２つの感光体のそれぞれに対向してトナー像を形成するように構成し、装置の小型化を図る提案もなされている（例えば、特許文献３参照）。
【００１０】
図６は上述における画像形成装置の構成図であり、図中８は上述のロータリー式現像装置である。
【００１１】
また、１つの中間転写体を挟むように２つの感光体を配置し、それぞれの感光体に現像する二つの黒色現像器を備える事で、白黒画像のプリント生産性を向上する提案もなされている（例えば、特許文献４参照）。
【００１２】
図７に上述における構成図を示す。図中９は本提案において追加される現像器であり、２ａ〜２ｄに示す現像装置のいずれかと同色のトナーでの画像形成を行なう物である。
【００１３】
【特許文献１】
特開平４−２０４８７１号公報
【特許文献２】
特開平８−１２３１２３号公報
【特許文献３】
特開２０００−３５２８５４号公報
【特許文献４】
特開２０００−３３８７３９号公報
【００１４】
【発明が解決しようとする課題】
上述したような従来の電子写真装置においては、以下のような問題を有していた。
【００１５】
（１）図４に示した画像形成装置では、感光体を含む２つの画像形成部が、中間転写ベルトが形成する一つの面に並べられて配置される為、中間転写ベルトの前記面が長くなり、且つ、前記面が転写紙の搬送方向に対して平行に配されている為、転写紙の搬送経路の長くなり、結果、一枚目のプリント出力に時間がかかるといった問題がある。
【００１６】
（２）図４に示す画像形成装置では、同上にして中間転写ベルト全体の長さも長くなる為、前記中間転写ベルトの一回転に要する時間も長くなり、単位時間あたりのプリント枚数が少なく制限される（連続プリント速度が低下する）といった問題がある。
【００１７】
（３）図５に示した画像形成装置では、中間転写体が形成するトナー画像の最大サイズを確保する必要のある一方で、ドラム形状を構成している為、中間転写体が装置内で占める体積が大きくなり、小型化の障害となる。
【００１８】
（４）図６に示した画像形成装置では、一つのロータリー現像装置を用いて、２つの感光体にトナー画像形成を行なう構成となっている為、一方の感光体でのトナー画像の形成が終了しても、他方の感光体でのトナー画像の形成を待つ必要があり、これによって更に単位時間あたりのプリント枚数を低下させるといった問題がある。
【００１９】
（５）更に、図６に示した画像形成装置では、２つの感光体とロータリー式現像装置、および、中間転写体とによって囲まれた狭いスペースに、トナー画像を形成する為の潜像形成手段を配置する必要があり、感光体への光の照射がＬＥＤ等の小型な手段に限定される為、レーザーとポリゴンミラーを用いる高速な照射手段を利用することが不可能であり、単位時間あたりのプリント枚数を多く出来ないといった問題がある。
【００２０】
（６）また更に、同上にして、感光体への光の照射手段を配置する為に、２つの感光体間距離を広くとろうとすると、中間転写ベルトが大型化し、該中間転写ベルトが１回転に要する時間が長くなり、単位時間あたりのプリント枚数を低下させるといった問題がある。
【００２１】
（７）図４に示した画像形成装置では、直線状に張られた無端状の中間転写ベルトを挟むように２つの感光体が配置されている為、２つの感光体を結ぶ中間転写ベルトの長さが長くなり、その結果４色のトナー画像を重ねあわせるのに時間がかかり、一枚目のプリント出力に時間がかかるといった問題がある。
【００２２】
（８）図４〜７の画像形成装置においては、各感光体での画像形成は中間転写体上での画像位置が合うように各画像形成部の制御が行なわれる為、画像形成に用いられる高圧電源の制御もそれぞれのタイミングで行われ、これにより、画像形成に関わるソフト開発の負担が増大するばかりでなく、感光体の数に合わせて、必要になる高圧電源の数も増大し、小型化、低価格化の妨げになるといった問題がある。
【００２３】
（９）更に、同上にして、画像形成のタイミングが異なることにより、前述の高圧電源を含む画像形成に絡む駆動系のタイミングも異なる為、それぞれの駆動に伴なう電源電圧の変動や、機械的振動により、形成中の画像に帯び状の斑が出来るなど画像品質の低下を招く危険がある。また、前述の画像品質の低下を防ぐ為に装置の開発負担が増大するといった問題がある。
【００２４】
本発明は、以上の点に着目して成されたもので、カラー複写機のカラーＣＰＭが向上でき、さらにＦＣＯＴの向上ができ、かつ小型化、ローコスト化が可能とする電子写真方式の画像形成装置を提供することを目的とする。
【００２５】
【課題を解決するための手段】
本発明によれば、上記課題を解決するために以下の手段を用いる。
【００２６】
（１）電子写真方式の画像形成装置であって、該装置が、それぞれ静電潜像が形成されトナー像に現像される第一と第二の感光手段を有し、前記第一の感光手段に形成された第一のトナー像と、前記第二の感光手段上に形成された第二のトナー像が同一の転写紙に転写されるよう構成されると共に、前記第一と第二のトナー画像に対するそれぞれ第一と第二の感光手段を離れてから前記同一の転写紙上に重ねられるまでの移動距離が、それぞれ略同等になるように構成されたことを特徴とする電子写真方式の画像形成装置。
【００２７】
（２）前記画像形成装置は第一と第二の感光装置を帯電する為のそれぞれ第一と第二の帯電手段と、前記第一と第二の感光手段に形成された静電潜像をトナー像に現像するそれぞれ第一と第二の現像手段と、前記第一と第二の感光手段に形成されたトナー像を別に用意されるそれぞれの転写媒体に転写する第一と第二の転写手段とを有し、前記第一と第二の転写手段を基準として、前記各帯電手段、或いは、各現像手段の内、少なくとも何れか一組の手段がそれぞれ同等の位置関係となるように配置されたことを特徴とする前記（１）に記載の電子写真方式の画像形成装置。
【００２８】
（３）前記画像形成装置は、現像スリーブを含む複数の現像装置を保持して前記現像手段として前記第一と第二の感光手段のそれぞれに前記現像装置の何れかを同時にセットする現像装置切換手段と、前記第一と第二の感光手段の何れかからトナー画像が転写され、前記転写紙に搬送する第一の中間転写手段と、前記第一と第二の感光手段の内、第一の中間転写手段が関与しない感光手段のトナー画像が転写される第二の中間転写手段と、トナー画像の移動方向を変更する中継用中間転写手段とを有することを特徴とする前記（１）または（２）に記載の電子写真方式の画像形成装置。
【００２９】
（４）前記第一と第二の中間転写手段は、想定される転写紙の最大サイズのトナー画像を保持し得る大きさに構成されると共に、前記現像装置切換手段によって切換られた現像手段でのトナー像を重ねて保持するよう動作することを特徴とする前記（１）ないし（３）いずれかに記載の電子写真方式の画像形成装置。
【００３０】
（５）前記画像形成装置は、前記第一と第二の感光手段のそれぞれに対し複数の現像装置を有し、前記現像装置の何れかを同時にセットする第二の現像装置切換手段と、前記第一と第二の感光手段からトナー画像が転写され、前記転写紙に搬送するそれぞれ第三と第四の中間転写手段を有することを特徴とする前記（１）または（２）に記載の電子写真方式の画像形成装置。
【００３１】
（６）前記第三と第四の中間転写手段は、想定される転写紙の最大サイズのトナー画像を保持し得る大きさに構成されると共に、前記現像装置切換手段によって切換られた現像手段でのトナー像を重ねて保持するよう動作することを特徴とする前記（１）、（２）、（５）いずれかに記載の電子写真方式の画像形成装置。
【００３２】
（７）前記画像形成装置は、前記第一と第二の転写手段を基準として同等の位置関係に配置された、前記各帯電手段、或いは、各現像手段の内、少なくとも何れか一組の手段に供給される高圧電源がそれぞれ共用されるよう構成されたことを特徴とする前記（２）ないし（６）いずれかに記載の電子写真方式の画像形成装置。
【００３３】
（８）前記画像形成装置は、前記第一と第二の帯電手段、前記第一と第二の現像手段に含まれる現像スリーブ、及び、中間転写手段の駆動が共通化されることを特徴とする前記（２）ないし（７）いずれかに記載の電子写真方式の画像形成装置。
【００３４】
【発明の実施の形態】
（実施例１）
以下本発明の一実施例について、図面を参照しながら説明する。
【００３５】
図１は本発明を実施する実施例１における画像形成装置の構成図である。図中１ａ，１ｂはそれぞれ光に反応してその表面の導電状態を変化する感光体、２ａ〜２ｄは前記感光体表面に形成される静電潜像を、それぞれイエロー、マゼンタ、シアン、ブラックのトナーにより可視化する現像器、３ａは前記感光体１ａ上に形成されたトナー画像が移し取られるベルト状に構成された第一の中間転写体、３ｂは前記感光体１ｂ上に形成されたトナー画像が一時的に写し取られる中継用中間転写体、３ｃは前記中継用中間転写体３ｂに転写されたトナー画像を直ちに写し取るベルト状に構成された第二の中間転写体、４は転紙に転写されたトナー画像を前記転写紙に熱と圧力とによって定着する定着器、５，６はトナー画像が転写される前の転写紙が格納される転写紙カセット、８は前記２ａ〜２ｄの現像器が格納され、その回転によって感光体１ａ，１ｂに対向する現像器を入れ替える回転現像装置、１０ａ，１０ｂは感光体１ａ，１ｂの表面を一様に帯電する為の一次帯電ローラ、１１は形成すべき画像情報に応じた光の照射を行なう為に不図示のレーザー光の反射によって２方向のレーザー走査を行なうポリゴンミラー、１２ａ〜１２ｄは前記ポリゴンミラー１１からのレーザーを反射し感光体１ａ，１ｂに導くミラー、１３ａは感光体１ａに形成されたトナー画像を前記第一の中間転写体３ａに転写させる為の第一の一次転写ローラ、１３ｃは前記感光体１ｂに形成されたトナー画像が前記中継用中間転写体３ｂに転写されると直ぐに、該トナー画像を第二の中間転写体３ｃに転写する為の第二の一次転写ローラ、１４ａは前記第一の中間転写体上に転写されたトナー画像を転写紙カセット５あるいは６から取り出される転写紙上に転写する第一の二次転写ローラ、１４ｂは前記第二の中間転写体１３ｃ上に転写されたトナー画像を前記転写紙上に、前記第一の二次転写ローラの動作よって転写されたトナー画像に重ねて転写するよう作用する第二の二次転写ローラ、１５は第二の二次転写ローラ１４ｂから前記定着器４に前記転写紙を搬送する転写紙搬送ベルトである。また、中継用中間転写体３ｂはローラ形状に構成されており、感光体１ｂ上に形成されたトナー画像を写し取るように作用する。また、各感光体に配置された１６ａ，１６ｂはそれぞれ感光体上に残ったトナーを回収するクリーナーである。
【００３６】
以上の構成において、回転現像装置８は各感光体１ａ，１ｂにそれぞれマゼンタ現像器２ｂ，ブラック現像器２ｄが対向する位置にセットされている。この状態において、プリントが開始されると、各感光体、各帯電ローラ、各中間転写体、マゼンタ、ブラックの各現像器内の現像スリーブ（更には、第一、第二の中間転写体、及び、中継用中間転写体）が駆動され、所定の速度で、回転を始める。続いて、前各帯電ローラに所定の高圧電力が供給され、これによって、各帯電器の表面が一様に帯電される。帯電された各感光体には、ポリゴンミラー１１からのレーザー走査が各ミラーの働きにより照射され、この照射に基づいて、前記各感光体表面の帯電状態が変わることによって静電潜像が形成される。形成された静電潜像は、マゼンタ現像器２ｂ，ブラック現像器２ｄの働きにより、感光体１ａ，１ｂに対してそれぞれマゼンタ、ブラックのトナーでの現像が行われる。現像されたマゼンタのトナー画像は、第一の一次転写ローラ１３ａにおいて、該ローラに供給される高圧電力の作用によって、第一の中間転写体３ａに転写され、ブラックのトナー画像は、中継用中間転写体３ｂにおいて、供給される高圧電力の作用によって前記中継用中間転写体３ｂに転写された後、第二の中間転写体３ｃ部において直ぐに第二の中間転写体３ｃに転写される。なお、前記第二の中間転写体３ｃへのトナー画像の転写は、前記第二の転一次写ローラ１３ｃに供給される高圧電力の作用によってなされる。
【００３７】
以上のようにして、第一と第二の中間転写体３ａ，３ｃへの一色目のトナー画像の形成がなされるが、前述の動作の中で、各感光体へのトナー画像の形成（現像）が終了すると回転現像装置８は１８０°の回転動作を行ない、これによって感光体１ａ，１ｂには、それぞれイエロー、シアンのトナーを具備した現像器が対向、セットされる。以下、上述と同様にして、各感光体上に各色トナーの画像形成が行なわれ、第一の中間転写体３ａには前述の動作によって形成されたマゼンタのトナー画像に重ねられてイエローのトナー画像が、第二の中間転写体３ｃには前述の動作によって形成されたブラックのトナー画像に重ねられてシアンのトナー画像が転写される。
【００３８】
続いて、転写紙カセット５、或いは、６から給紙された転写紙は第一の中間転写体３ａに搬送され、第一の二次転写ローラ１４ａに供給される高圧電力の作用によって、前記第一の中間転写体３ａに形成された２色のトナーが重ねられたトナー画像が転写され、更に、該転写紙は第二の中間転写体３ｃに搬送され、第二の二次転写ローラ１４ｂに供給される高圧電力の作用によって、前記第二の中間転写体３ｃに形成された２色のトナーが重ねられたトナー画像が、前記転写紙に転写されたトナー画像に重ねられて転写される。以上にして、転写紙には下からイエロー、マゼンタ、シアン、ブラックの順に重ねられたトナー画像が形成され、更に、該転写紙は転写紙搬送ベルト１５により定着器４に搬送されて、前記転写紙に転写されたトナー画像は前記転写紙に定着される。
【００３９】
ところで、本発明においては、第一の一次転写ローラ１３ａによるトナー画像の転写位置から、第二の二次転写ローラ１４ｂによるトナー画像の転写位置までの２色目のトナー画像の移動距離（Ｌａ）が、前記中継用中間転写体３ｂへのトナー画像の転写位置から、前記第二の二次転写ローラ１４ｂによるトナー画像の転写位置までの２色目のトナー画像の移動距離（Ｌｂ＋Ｌｃ）と略同等となるように構成されている。そして更に、第一の中間転写体３ａと第二の中間転写体３ｃの長さは、使用が想定される転写紙の最大サイズの画像が一面転写できる程度で、且つ、双方の中間転写体の長さが同等となるように構成されている。これによって、各中間転写体上に転写紙の最大サイズに対応したトナー画像の形成が可能であると同時に、各感光体での画像形成、および、一次転写の動制御を同じタイミングで動作させても、中間転写体の移動速度を変えるなどの特別なタイミング調整を必要とせずに転写紙へのトナー画像の重ねあわせを行なうことが可能に出来る。即ち、各感光体での画像形成に用いられる一次帯電や現像、そして、一次転写といった高圧電力の供給がそれぞれ同時に行なえる為、それぞれの高圧電力の供給を定電圧動作で行なうよう構成すれば、各高圧電源は感光体１ａ用と１ｂ用とを共通にすることが可能となり、大幅なコストダウンと省スペース化を実現することが可能となる。
【００４０】
図２に上述の様子を示した共通化された高圧電源のブロック図を示す。図中１７は一次帯電ローラに高圧電力を供給する一次帯電用高圧電源部、１８は感光体に対向している現像器に高圧電力を供給する現像用高圧電源部、１９は感光体からトナー画像を転写する第一の一次転写ローラ１３ａと中継用中間転写体３ｂとに高圧電力を供給する第一の一次転写用高圧電源部、２０は中継用中間転写体３ｂから第二の中間転写体３ｃにトナー画像を転写するために第二の一次転写ローラ１３ｃに高圧電力を供給する第二の一次転写用高圧電源部、２１は第一の中間転写体３ａから転写紙にトナー画像を転写する為に第一の二次転写ローラ１４ａに高圧電力を供給する為の第一の二次転写用高圧電源部、２２は第二の中間転写体３ｃから転写紙にトナー画像を転写する為に第二の二次転写ローラ１４ｂに高圧電力を供給する為の第二の二次転写用高圧電源部である。
【００４１】
以上の構成では、一次帯電用高圧電源部１７、現像用高圧電源部１８、第一の一次転写用高圧電源部１９が、それぞれ感光体１ａ，１ｂの周囲に設置された一次帯電ローラ１０ａ，１０ｂ、現像器２ｂ，２ｄ、もしくは、２ａ，２ｃ、第一の一次転写ローラ１３ａ，中継用中間転写体３ｂに同じ高圧電力を供給するように共用されている。
【００４２】
また更に、中継用中間転写体３ｂと第二の中間転写体３ｃとを設けた効果により、図１に示すように、感光体へのレーザー照射光路の確保が可能になり、レーザーとポリゴンミラーを使用した画像書き込みを実現し、一層の高速化、高画質化を可能にできる。
【００４３】
また更に、本構成によれば、感光体１ａと１ｂで形成される画像が同時に形成される為、回転現像装置８による現像器の入れ替え動作は、同じタイミングで発生する双方の感光体での現像終了と同時に行なうことが可能であり、これによって、現像器入れ替え時のタイミング調整時間を解消でき、ファーストプリント、および、連続プリントのプリント時間を短縮できる効果がある。
【００４４】
また、本構成によれば、多くの高圧電源出力、および、感光体、中間転写体、ならびに、中継用中間転写体などの回転駆動の開始や停止などが画像形成工程のタイミングに合わせて同一のタイミングで制御される為、電気的、或いは、機械的振動が画像形成に関わらないタイミングで動作することとなり、画像品質の低下を防止できる効果があると共に、画像品質低下を防ぐ為の装置の開発負担を軽減する事ができる。更に、タイミングが同時である為、ソフト開発の負担を軽減することが出来る。更に、タイミングが同時である為、各回転駆動の動力を共通化でき、装置の小型化、ローコスト化が実現できる。
【００４５】
また、本構成によれば、一つの中間転写体に一つの感光体を配する構成としたので、感光体、および、その周囲のユニットを並べる場合に生じる中間転写体の大型化を回避できる為、プリント速度の低下を回避することが出来る。
【００４６】
また更に、本構成によれば、中間転写体をベルト形状とした為、複雑な形を構成でき、ドラム形状の中間転写体と比して効率的にスペースを活用できる為、装置の小型化が実現できる効果がある。
【００４７】
なお、以上の説明では、感光体１ｂに対して中継用中間転写体３ｂを持たせる構成を示したが、本発明はこれに限られる物ではなく、感光体１ｂに対する中継用中間転写体を排除し、代わりに、感光体１ａに対して中継用中間転写体を設けるよう構成するものも含む物である。また、実施例の説明中には、中継用中間転写体は感光体に対して配置した場合を説明したが、これに限られるものではなく、感光体に対して中間転写体を配置し、この中間転写体に中継用中間転写体を配置する構成としてもよい。
【００４８】
（実施例２）
図３に本発明の実施例２における画像形成装置の概略構成図を示す。本実施例は、前述の実施例１で一つの回転現像装置８で構成していた回転現像装置を、２３，２４の二つに分け、更に、中継用中間転写体３ｂを省いた構成となっている。また、図３に示す構成例では、感光体１ｂから中間転写体３ｃにトナー画像を転写する為に高圧電力が供給される第二の一次転写ローラ１３ｃが、前記中間転写体３ｃを保持・回転させる為の移動用ローラを兼ねる構成となっている。
【００４９】
以上の構成において、本実施例における中間転写体３ａ，３ｃも想定される転写紙の最大サイズの一面のトナー画像が十分形成できる長さに構成されており、更に、感光体１ａから中間転写体３ａへのトナー画像の転写位置から、中間転写体３ｃから転写紙にトナー画像を転写する第二の二次転写位置までの最終色のトナー画像の移動距離（Ｌｘ）が、感光体１ｂから中間転写体３ｃへのトナー画像の転写位置から、中間転写体３ｃから転写紙にトナー画像を転写する第二の二次転写位置までの最終色のトナー画像の移動距離（Ｌｙ）と略同等に構成されている。更に、各感光体の周囲に用意された一次帯電ローラ、現像器、一次転写ローラの位置関係は各感光体に対して同等となるように配置されている。
【００５０】
以上の構成によって、実施例１と同様、感光体１ａ，１ｂの双方での画像形成と各中間転写体３ａ，３ｃへのトナー画像の一次転写までの工程が、それぞれの感光体に対して同じタイミングで行なえる為、各電子写真プロセスに使用される高圧電源を共通化でき、大幅なコストダウン、および、省スペース化を実現することが出来る。
【００５１】
また上述の構成では、更に、２つの回転現像器２３，２４をも同じタイミングで回転動作させることが出来る為、双方の回転現像器の駆動も共通化でき、これによっても、大幅なコストダウン、および、省スペース化を実現することが出来る。
【００５２】
また更に、同上の理由により、各感光体、各中間転写体、各感光体に対向・セットされた現像器内に具備される現像スリーブの駆動も同じタイミングで動作させられる為、これらの駆動装置を共通化することが可能となり、これによっても同上の効果を得ることができる。
【００５３】
【発明の効果】
本発明によれば、以下の効果を得ることができる。
【００５４】
カラー複写機のカラーＣＰＭが向上でき、さらにＦＣＯＴの向上ができ、かつ小型化、ローコスト化が可能となる。
【図面の簡単な説明】
【図１】本発明を実施する（実施例１）に於ける画像形成装置の概略構成図である。
【図２】（実施例１）の画像形成装置に用いられる高圧電源装置の概略構成図である。
【図３】本発明を実施する（実施例２）に於ける画像形成装置の概略構成図である。
【図４】従来の画像形成装置を示す概略構成図である。
【図５】従来の画像形成装置を示す概略構成図である。
【図６】従来の画像形成装置を示す概略構成図である。
【図７】従来の画像形成装置を示す概略構成図である。
【符号の説明】
１ａ，１ｂ  感光体
２ａ〜２ｄ  現像器
３ａ〜３ｃ  中間転写体
４  定着器
５，６  転写紙カセット
７  中間転写ドラム
８  回転現像装置
９  追加現像器
１０ａ，１０ｂ  一次帯電ローラ
１１  ポリゴンミラー
【図１】
2004226537.tif 000003
【図２】
2004226537.tif 000004
【図３】
2004226537.tif 000005
【図４】
2004226537.tif 000006
【図５】
2004226537.tif 000007
【図６】
2004226537.tif 000008
【図７】
2004226537.tif 000009